(57)【要約】本発明は、少なくとも１つのユーザ装置を伴う設定方法及びシステムに係る。本発明によるユーザ装置を伴う設定方法は、ワイヤレスネットワーク(12)の現在動作バンドを有する少なくとも１つのユーザ装置(10)から前記ワイヤレスネットワークのコントローラ(14)へ通信要求を送信するステップであって、該要求は、前記ワイヤレスネットワークの前記現在動作バンド以外の他のバンドで動作するための前記少なくとも１つのユーザ装置の能力を指示する情報を含むようなステップと、前記コントローラが、前記現在動作バンド以外の他のバンドで動作するための前記少なくとも１つのユーザ装置の能力と、前記ネットワークの負荷状態とに応答して、前記ワイヤレスネットワークの前記現在動作バンド以外の前記ワイヤレスネットワークの他のバンドで通信を確立すべきであることを前記少なくとも１つのユーザ装置へ送信するステップと、を備えている。
2005536091.tif 000002
【特許請求の範囲】
【請求項１】
ユーザ装置を伴う設定方法において、
ワイヤレスネットワークの現在動作バンドを有する少なくとも１つのユーザ装置から前記ワイヤレスネットワークのコントローラへ通信要求を送信するステップであって、該要求は、前記ワイヤレスネットワークの前記現在動作バンド以外の他のバンドで動作するための前記少なくとも１つのユーザ装置の能力を指示する情報を含むようなステップと、
前記コントローラが、前記現在動作バンド以外の他のバンドで動作するための前記少なくとも１つのユーザ装置の能力と、前記ネットワークの負荷状態とに応答して、前記ワイヤレスネットワークの前記現在動作バンド以外の前記ワイヤレスネットワークの他のバンドで通信を確立すべきであることを前記少なくとも１つのユーザ装置へ送信するステップと、
を備えた方法。
【請求項２】
前記情報は、前記少なくとも１つのユーザ装置が前記ワイヤレスネットワークの前記現在動作バンド以外の少なくとも１つの他のバンドで動作する場合だけを指示する請求項１に記載の方法。
【請求項３】
前記情報は、前記ワイヤレスネットワークの前記現在動作バンド以外の他のバンドで動作するための前記少なくとも１つのユーザ装置の能力を指示し、そして前記少なくとも１つのユーザ装置の動作に関連した他の情報を含む請求項１に記載の方法。
【請求項４】
前記情報は、前記情報で識別された多数のバンドにおいて前記少なくとも１つのユーザ装置が動作することを指示する請求項２に記載の方法。
【請求項５】
前記情報は、前記情報で識別された多数のバンドにおいて前記少なくとも１つのユーザ装置が動作することを指示する請求項３に記載の方法。
【請求項６】
前記情報は、前記少なくとも１つのユーザ装置が単一の他の情報のみにおいて動作する場合を指示する１つのビットを備えた請求項１に記載の方法。
【請求項７】
前記別のバンドは、少なくとも２．５ＧＨｚの周波数を含む請求項１に記載の方法。
【請求項８】
前記他の情報は、前記少なくとも１つのユーザ装置に提供されるべきサービスのクオリティに関する情報を含む請求項３に記載の方法。
【請求項９】
前記他の情報は、前記少なくとも１つのユーザ装置に与えられるべき情報のコンテンツの形式に関する情報を含む請求項３に記載の方法。
【請求項１０】
前記他の情報は、通信と共に前記少なくとも１つのユーザ装置に与えられるべき転送遅延に関する情報を含む請求項３に記載の方法。
【請求項１１】
前記他の情報は、前記少なくとも１つのユーザ装置へ通信と共に与えられるべきビットレートに関する情報を含む請求項３に記載の方法。
【請求項１２】
ワイヤレスネットワークと、
前記ワイヤレスネットワークの現在動作バンドを有する少なくとも１つのユーザ装置と、
前記ワイヤレスネットワークのコントローラと、
を備え、前記少なくとも１つのユーザ装置は、前記ワイヤレスネットワークにおける前記少なくとも１つのユーザ装置からの通信要求を前記コントローラへ送信し、前記要求は、前記ワイヤレスネットワークの前記現在動作バンド以外の他のバンド内で動作するための前記少なくとも１つのユーザ装置の能力を指示する情報を含み、そして前記コントローラは、前記現在動作バンド以外の他のバンドで動作するための前記少なくとも１つのユーザ装置の能力と、前記ワイヤレスネットワークの負荷状態とに応答して、前記ワイヤレスネットワークの前記現在動作バンド以外の前記ワイヤレスネットワークの他のバンドで通信を確立すべきであることを前記少なくとも１つのユーザ装置へ送信するように構成されたシステム。
【請求項１３】
前記情報は、前記少なくとも１つのユーザ装置が前記ワイヤレスネットワークの前記現在動作バンド以外の少なくとも１つの他のバンドで動作する場合だけを指示する請求項１２に記載のシステム。
【請求項１４】
前記情報は、前記ワイヤレスネットワークの前記現在動作バンド以外の他のバンドで動作するための前記少なくとも１つのユーザ装置の能力を指示し、そして前記少なくとも１つのユーザ装置の動作に関連した他の情報を含む請求項１２に記載のシステム。
【請求項１５】
前記情報は、前記情報で識別された多数のバンドにおいて前記少なくとも１つのユーザ装置が動作することを指示する請求項１３に記載のシステム。
【請求項１６】
前記情報は、前記情報で識別された多数のバンドにおいて前記少なくとも１つのユーザ装置が動作することを指示する請求項１４に記載のシステム。
【請求項１７】
前記情報は、前記少なくとも１つのユーザ装置が単一の他のバンドのみにおいて動作する場合を指示する１つのビットを備えた請求項１２に記載のシステム。
【請求項１８】
前記別のバンドは、少なくとも２．５ＧＨｚの周波数を含む請求項１２に記載のシステム。
【請求項１９】
前記他の情報は、前記少なくとも１つのユーザ装置に提供されるべきサービスのクオリティに関する情報を含む請求項１４に記載のシステム。
【請求項２０】
前記他の情報は、前記少なくとも１つのユーザ装置に与えられるべき情報のコンテンツの形式に関する情報を含む請求項１４に記載のシステム。
【請求項２１】
前記他の情報は、通信と共に前記少なくとも１つのユーザ装置に与えられるべき転送遅延に関する情報を含む請求項１４に記載のシステム。
【請求項２２】
前記他の情報は、前記少なくとも１つのユーザ装置へ通信と共に与えられるべきビットレートに関する情報を含む請求項１４に記載のシステム。
【請求項２３】
ユーザ装置を伴う設定方法において、
ワイヤレスネットワークの現在キャリアを有する少なくとも１つのユーザ装置から前記ワイヤレスネットワークのコントローラへ通信要求を送信するステップであって、該要求は、前記ワイヤレスネットワークの前記現在キャリア以外の他のキャリアで動作するための前記少なくとも１つのユーザ装置の能力を指示する情報を含むようなステップと、
前記コントローラが、前記現在キャリア以外の前記ワイヤレスネットワークの他のキャリアで動作するための前記少なくとも１つのユーザ装置の能力と、前記ワイヤレスネットワークの負荷状態とに応答して、前記ワイヤレスネットワークの前記現在キャリア以外の前記ワイヤレスネットワークの他のキャリアで通信を確立すべきであることを前記少なくとも１つのユーザ装置へ送信するステップと、
を備えた方法。
【請求項２４】
前記情報は、前記少なくとも１つのユーザ装置が前記ワイヤレスネットワークの前記現在キャリア以外の他のキャリアで動作する場合だけを指示する請求項２３に記載の方法。
【請求項２５】
前記情報は、前記ワイヤレスネットワークの前記現在キャリア以外の他のキャリアで動作するための前記少なくとも１つのユーザ装置の能力を指示し、そして前記少なくとも１つのユーザ装置の動作に関連した他の情報を含む請求項２３に記載の方法。
【請求項２６】
前記情報は、前記情報で識別された多数のキャリアで前記少なくとも１つのユーザ装置が動作することを指示する請求項２４に記載の方法。
【請求項２７】
前記情報は、前記情報で識別された多数のキャリアで前記少なくとも１つのユーザ装置が動作することを指示する請求項２５に記載の方法。
【請求項２８】
前記情報は、前記少なくとも１つのユーザ装置が前記ネットワークにおける単一の他のキャリアのみで動作する場合を指示する１つのビットを備えた請求項２３に記載の方法。
【請求項２９】
前記別のバンドは、２．５−２．６９ＧＨｚバンド、１９００−１９２０ＭＨｚバンド又は２０１０−２０２５ＭＨｚバンドの通信周波数を含む請求項２３に記載の方法。
【請求項３０】
前記他の情報は、前記少なくとも１つのユーザ装置に提供されるべきサービスのクオリティに関する情報を含む請求項２５に記載の方法。
【請求項３１】
前記他の情報は、前記少なくとも１つのユーザ装置に与えられるべき情報のコンテンツの形式に関する情報を含む請求項２５に記載の方法。
【請求項３２】
前記他の情報は、通信と共に前記少なくとも１つのユーザ装置に与えられるべき転送遅延に関する情報を含む請求項２５に記載の方法。
【請求項３３】
前記他の情報は、前記少なくとも１つのユーザ装置へ通信と共に与えられるべきビットレートに関する情報を含む請求項２５に記載の方法。
【請求項３４】
ワイヤレスネットワークと、
前記ワイヤレスネットワークの現在キャリアを有する少なくとも１つのユーザ装置と、
前記ワイヤレスネットワークのコントローラと、
を備え、前記少なくとも１つのユーザ装置は、前記少なくとも１つのユーザ装置から前記ワイヤレスネットワークの前記コントローラへ通信要求を送信し、前記要求は、前記ワイヤレスネットワークの前記現在キャリア以外の他のキャリアで動作するための前記少なくとも１つのユーザ装置の能力を指示する情報を含み、そして前記コントローラは、前記現在キャリア以外の他のキャリアで動作するための前記少なくとも１つのユーザ装置の能力と、前記ワイヤレスネットワークの負荷状態とに応答して、前記ワイヤレスネットワークの前記現在キャリア以外の前記ワイヤレスネットワークの他のキャリアで通信を確立すべきであることを前記少なくとも１つのユーザ装置へ送信するように構成されたシステム。
【請求項３５】
前記情報は、前記少なくとも１つのユーザ装置が前記ワイヤレスネットワークの前記現在キャリア以外の他のキャリアで動作する場合だけを指示する請求項３４に記載のシステム。
【請求項３６】
前記情報は、前記ワイヤレスネットワークの前記現在キャリア以外の他のキャリアで動作するための前記少なくとも１つのユーザ装置の能力を指示し、そして前記少なくとも１つのユーザ装置の動作に関連した他の情報を含む請求項３４に記載のシステム。
【請求項３７】
前記情報は、前記情報で識別された多数のキャリアで前記少なくとも１つのユーザ装置が動作することを指示する請求項３５に記載のシステム。
【請求項３８】
前記情報は、前記情報で識別された多数のキャリアで前記少なくとも１つのユーザ装置が動作することを指示する請求項３６に記載のシステム。
【請求項３９】
前記情報は、前記少なくとも１つのユーザ装置が前記ネットワークの単一の他のキャリアのみで動作する場合を指示する１つのビットを備えた請求項３４に記載のシステム。
【請求項４０】
前記別のバンドは、２．５−２．６９ＧＨｚバンド、１９００−１９２０ＭＨｚバンド又は２０１０−２０２５ＭＨｚバンドの通信周波数を含む請求項３４に記載のシステム。
【請求項４１】
前記他の情報は、前記少なくとも１つのユーザ装置に提供されるべきサービスのクオリティに関する情報を含む請求項３６に記載のシステム。
【請求項４２】
前記他の情報は、前記少なくとも１つのユーザ装置に与えられるべき情報のコンテンツの形式に関する情報を含む請求項３６に記載のシステム。
【請求項４３】
前記他の情報は、通信と共に前記少なくとも１つのユーザ装置に与えられるべき転送遅延に関する情報を含む請求項３６に記載のシステム。
【請求項４４】
前記他の情報は、前記少なくとも１つのユーザ装置へ通信と共に与えられるべきビットレートに関する情報を含む請求項３６に記載のシステム。
【請求項４５】
ユーザ装置を伴う設定方法において、
第１ワイヤレスネットワークで現在動作している少なくとも１つのユーザ装置から前記第１ワイヤレスネットワークのコントローラへ通信要求を送信するステップであって、該要求は、前記第１ワイヤレスネットワーク以外の他のワイヤレスネットワーク内で動作するための前記少なくとも１つのユーザ装置の能力を指示する情報を含むようなステップと、
前記コントローラが、別のワイヤレスネットワークで動作するための前記少なくとも１つのユーザ装置の能力に応答して、前記別のワイヤレスネットワークに通信を確立すべきであることを前記少なくとも１つのユーザ装置へ送信するステップと、
を備えた方法。
【請求項４６】
前記情報は、前記少なくとも１つのユーザ装置が前記第１ワイヤレスネットワーク以外の少なくとも１つの他のワイヤレスネットワーク内で動作する場合だけを指示する請求項４５に記載の方法。
【請求項４７】
前記情報は、前記第１ワイヤレスネットワーク以外の他のワイヤレスネットワークで動作するための前記少なくとも１つのユーザ装置の能力を指示し、そして前記少なくとも１つのユーザ装置の動作に関連した他の情報を含む請求項４５に記載の方法。
【請求項４８】
前記情報は、前記情報で識別された多数の他のワイヤレスネットワークで前記少なくとも１つのユーザ装置が動作することを指示する請求項４６に記載の方法。
【請求項４９】
前記情報は、前記情報で識別された多数の他のワイヤレスネットワークで前記少なくとも１つのユーザ装置が動作することを指示する請求項４７に記載の方法。
【請求項５０】
前記情報は、前記少なくとも１つのユーザ装置が単一の他のワイヤレスネットワークのみで動作する場合を指示する１つのビットを備えた請求項４６に記載の方法。
【請求項５１】
前記別のネットワークは、ＷＬＡＮを含む請求項４６に記載の方法。
【請求項５２】
前記他の情報は、前記少なくとも１つのユーザ装置に提供されるべきサービスのクオリティに関する情報を含む請求項４７に記載の方法。
【請求項５３】
前記他の情報は、前記少なくとも１つのユーザ装置に与えられるべき情報のコンテンツの形式に関する情報を含む請求項４７に記載の方法。
【請求項５４】
前記他の情報は、通信と共に前記少なくとも１つのユーザ装置に与えられるべき転送遅延に関する情報を含む請求項４７に記載の方法。
【請求項５５】
前記他の情報は、前記少なくとも１つのユーザ装置へ通信と共に与えられるべきビットレートに関する情報を含む請求項４７に記載の方法。
【請求項５６】
少なくとも１つのユーザ装置と、
ネットワークコントローラを含む第１ネットワークと、
少なくとも１つの付加的なワイヤレスネットワークと、
を備え、前記少なくとも１つのユーザ装置は、前記第１ワイヤレスネットワークで現在動作している少なくとも１つのユーザ装置から前記コントローラへ通信要求を送信し、該要求は、前記第１ワイヤレスネットワーク以外の他のワイヤレスネットワーク内で動作するための前記少なくとも１つのユーザ装置の能力を指示する情報を含み、そして前記コントローラは、他のワイヤレスネットワークで動作するための前記少なくとも１つのユーザ装置の能力に応答して、前記別のワイヤレスネットワークに通信を確立すべきであることを前記少なくとも１つのユーザ装置へ送信するように構成されたシステム。
【請求項５７】
前記情報は、前記少なくとも１つのユーザ装置が前記第１ワイヤレスネットワーク以外の少なくとも１つの他のワイヤレスネットワーク内で動作する場合だけを指示する請求項５６に記載のシステム。
【請求項５８】
前記情報は、前記第１ワイヤレスネットワーク以外の他のワイヤレスネットワークで動作するための前記少なくとも１つのユーザ装置の能力を指示し、そして前記少なくとも１つのユーザ装置の動作に関連した他の情報を含む請求項５６に記載のシステム。
【請求項５９】
前記情報は、前記情報で識別された多数の他のワイヤレスネットワークで前記少なくとも１つのユーザ装置が動作することを指示する請求項５７に記載のシステム。
【請求項６０】
前記情報は、前記情報で識別された多数の他のワイヤレスネットワークで前記少なくとも１つのユーザ装置が動作することを指示する請求項５８に記載のシステム。
【請求項６１】
前記情報は、前記少なくとも１つのユーザ装置が単一の他のワイヤレスネットワークのみで動作する場合を指示する１つのビットを備えた請求項５７に記載のシステム。
【請求項６２】
前記別のネットワークは、ＷＬＡＮを含む請求項５６に記載のシステム。
【請求項６３】
前記他の情報は、前記少なくとも１つのユーザ装置に提供されるべきサービスのクオリティに関する情報を含む請求項５８に記載のシステム。
【請求項６４】
前記他の情報は、前記少なくとも１つのユーザ装置に与えられるべき情報のコンテンツの形式に関する情報を含む請求項５８に記載のシステム。
【請求項６５】
前記他の情報は、通信と共に前記少なくとも１つのユーザ装置に与えられるべき転送遅延に関する情報を含む請求項５８に記載のシステム。
【請求項６６】
前記他の情報は、前記少なくとも１つのユーザ装置へ通信と共に与えられるべきビットレートに関する情報を含む請求項５８に記載のシステム。
【請求項６７】
ユーザ装置を伴う設定方法において、
少なくとも１つのユーザ装置から第１ワイヤレスネットワークのコントローラへ通信要求を送信するステップであって、該要求は、ワイヤレスネットワークの前記少なくとも１つのユーザ装置の動作に関する情報を含むようなステップと、
前記コントローラが、前記少なくとも１つのユーザ装置の動作に関する情報と、前記第１ワイヤレスネットワークの状態とに応答して、前記少なくとも１つのユーザ装置の動作に関するフィールドに基づいてワイヤレスネットワークに通信を確立すべきであることを前記少なくとも１つのユーザ装置へ送信するステップと、
を備えた方法。
【請求項６８】
前記情報は、前記少なくとも１つのユーザ装置が、前記第１ワイヤレスネットワークの現在動作バンド以外の少なくとも１つの他のバンドで動作する場合を指示する請求項６７に記載の方法。
【請求項６９】
前記情報は、前記少なくとも１つのユーザ装置が、その少なくとも１つのユーザ装置の現在キャリア以外の他のキャリアで動作する場合を指示する請求項６７に記載の方法。
【請求項７０】
前記情報は、前記少なくとも１つのユーザ装置が、前記第１ワイヤレスネットワーク以外の他のワイヤレスネットワークで動作する場合を指示する請求項６７に記載の方法。
【請求項７１】
前記情報は、前記少なくとも１つのユーザ装置に提供されるべきサービスのクオリティに関する情報を含む請求項６７に記載の方法。
【請求項７２】
前記情報は、前記少なくとも１つのユーザ装置に与えられるべき情報のコンテンツの形式に関する情報を含む請求項６７に記載の方法。
【請求項７３】
前記情報は、通信と共に前記少なくとも１つのユーザ装置に与えられるべき転送遅延に関する情報を含む請求項６５に記載の方法。
【請求項７４】
前記情報は、前記少なくとも１つのユーザ装置へ通信と共に与えられるべきビットレートに関する情報を含む請求項６７に記載の方法。
【請求項７５】
前記情報は、前記少なくとも１つのユーザ装置に提供されるべきサービスのクオリティに関する情報を含む請求項６８に記載の方法。
【請求項７６】
前記情報は、前記少なくとも１つのユーザ装置に与えられるべき情報のコンテンツの形式に関する情報を含む請求項６８に記載の方法。
【請求項７７】
前記情報は、通信と共に前記少なくとも１つのユーザ装置に与えられるべき転送遅延に関する情報を含む請求項６６に記載の方法。
【請求項７８】
前記情報は、前記少なくとも１つのユーザ装置へ通信と共に与えられるべきビットレートに関する情報を含む請求項６８に記載の方法。
【請求項７９】
前記情報は、前記少なくとも１つのユーザ装置に提供されるべきサービスのクオリティに関する情報を含む請求項６９に記載の方法。
【請求項８０】
前記情報は、前記少なくとも１つのユーザ装置に与えられるべき情報のコンテンツの形式に関する情報を含む請求項６９に記載の方法。
【請求項８１】
前記情報は、通信と共に前記少なくとも１つのユーザ装置に与えられるべき転送遅延に関する情報を含む請求項６９に記載の方法。
【請求項８２】
前記情報は、前記少なくとも１つのユーザ装置へ通信と共に与えられるべきビットレートの識別に関する情報を含む請求項６９に記載の方法。
【請求項８３】
前記情報は、前記少なくとも１つのユーザ装置に提供されるべきサービスのクオリティに関する情報を含む請求項７０に記載の方法。
【請求項８４】
前記情報は、前記少なくとも１つのユーザ装置に与えられるべき情報のコンテンツの形式に関する情報を含む請求項７０に記載の方法。
【請求項８５】
前記情報は、通信と共に前記少なくとも１つのユーザ装置に与えられるべき転送遅延に関する情報を含む請求項６８に記載の方法。
【請求項８６】
前記情報は、前記少なくとも１つのユーザ装置へ通信と共に与えられるべきビットレートに関する情報を含む請求項７０に記載の方法。
【請求項８７】
前記情報は、前記少なくとも１つのユーザ装置が単一の他の動作バンドのみで動作する場合を指示する１つのビットを含む請求項６７に記載の方法。
【請求項８８】
前記情報は、前記少なくとも１つのユーザ装置が単一の他のキャリアのみで動作する場合を指示する１つのビットを含む請求項６７に記載の方法。
【請求項８９】
前記情報は、前記少なくとも１つのユーザ装置が単一の他のワイヤレスネットワークのみで動作する場合を指示する１つのビットを含む請求項６７に記載の方法。
【請求項９０】
前記別のバンドは、少なくとも２．５ＧＨｚの周波数を含む請求項６８に記載の方法。
【請求項９１】
前記別のキャリアは、２．５−２．６９ＧＨｚバンド、１９００−１９２０ＭＨｚバンド又は２０１０−２０２５ＭＨｚバンドの周波数を含む請求項６９に記載の方法。
【請求項９２】
前記別のネットワークは、ＷＬＡＮを含む請求項７０に記載の方法。
【請求項９３】
少なくとも１つのユーザ装置と、
コントローラを含む第１ワイヤレスネットワークと、
を備え、前記少なくとも１つのユーザ装置は、その少なくとも１つのユーザ装置から前記コントローラへ通信要求を送信し、該要求は、ワイヤレスネットワークにおける前記少なくとも１つのユーザ装置の動作に関する情報を含み、そして前記コントローラは、前記少なくとも１つのユーザ装置の動作に関する情報と、前記第１ワイヤレスネットワークの状態とに応答して、前記少なくとも１つのユーザ装置の動作に関するフィールドに基づいてワイヤレスネットワークに通信を確立すべきであることを前記少なくとも１つのユーザ装置へ送信するように構成されたシステム。
【請求項９４】
前記情報は、前記少なくとも１つのユーザ装置が、前記第１ワイヤレスネットワークの現在動作バンド以外の少なくとも１つの他のバンドで動作する場合を指示する請求項９３に記載のシステム。
【請求項９５】
前記情報は、前記少なくとも１つのユーザ装置が、その少なくとも１つのユーザ装置の現在キャリア以外の他のキャリアで動作する場合を指示する請求項９３に記載のシステム。
【請求項９６】
前記情報は、前記少なくとも１つのユーザ装置が、前記第１ワイヤレスネットワーク以外の他のワイヤレスネットワークで動作する場合を指示する請求項９３に記載のシステム。
【請求項９７】
前記情報は、前記少なくとも１つのユーザ装置に提供されるべきサービスのクオリティに関する情報を含む請求項９３に記載のシステム。
【請求項９８】
前記情報は、前記少なくとも１つのユーザ装置に与えられるべき情報のコンテンツの形式に関する情報を含む請求項９３に記載のシステム。
【請求項９９】
前記情報は、通信と共に前記少なくとも１つのユーザ装置に与えられるべき転送遅延に関する情報を含む請求項９３に記載のシステム。
【請求項１００】
前記情報は、前記少なくとも１つのユーザ装置へ通信と共に与えられるべきビットレートに関する請求項９３に記載のシステム。
【請求項１０１】
前記別のキャリアは、２．５−２．６９ＧＨｚバンド、１９００−１９２０ＭＨｚバンド又は２０１０−２０２５ＭＨｚバンドの通信周波数を含む請求項９５に記載のシステム。
【請求項１０２】
前記別のネットワークは、ＷＬＡＮを含む請求項９６に記載のシステム。
【発明の詳細な説明】
【技術分野】
【０００１】
本発明は、第１ワイヤレスネットワーク内のネットワークコントローラの制御のもとで第１ワイヤレスネットワークの新たなキャリア又はバンドに或いは別のワイヤレスネットワークにユーザ装置（ＵＥ）を接続することに係る。
【背景技術】
【０００２】
図１は、参考として全体をここに援用する３ＧＰＰ２５．３３１、第８．１．３章に規定された無線ネットワークコントローラ（ＲＮＣ）１４の制御のもとでユニバーサル地上無線アクセスネットワーク（ＵＴＲＡＮ）１２にＵＥ１０を接続するところを示す。ＲＮＣ１４は、無線リソース制御（ＲＲＣ）接続設定メッセージをＵＥ１０へ送信する。その後、ＵＥ１０は、ＲＲＣ接続設定完了メッセージをＲＮＣ１４へ返送し、これは、現在の３ＧＰＰ仕様に基づくもので、ＵＥ１０の幾つかの能力を含む。ＲＲＣ接続設定完了メッセージに含まれたＵＥ１０の能力は、ＲＮＣがＵＥ１０をＵＴＲＡＮ１２の新たなキャリア又はバンド或いは別のワイヤレスネットワーク（図示せず）へ移動するのを許す以外の目的で、既知の動作手順に基づいてＲＮＣ１４により利用される。
【０００３】
「指令型ＲＲＣ接続設定」として知られているプロセスでは、ＲＮＣ１４は、ＲＲＣ接続要求の後、ＵＥ１０を、設定が完了する前に別のキャリアへ指令することができる。このプロセスは、ＵＥ１０を、ＵＴＲＡＮ１２の新たなバンドへ、或いはＧＳＭ／ＥＤＧＥ無線アクセスネットワーク（ＧＥＲＡＮ）以外の新たなネットワークへ移動するのには使用されていない。
【０００４】
ワイドバンドコード分割多重アクセス（ＷＣＤＭＡ）に使用するための付加的な周波数スペクトルは、現在、３ＧＰＰ  ＲＡＮ  ＷＧ４において検討されている。これらの検討されている新たなバンドの中に、２．５から２．６９ＧＨｚのバンドがある。この新たなバンドは、ＵＴＲＡＮ１２により負荷バランスのために使用されることが提案されており、ＵＴＲＡＮが「指令型ＲＲＣ接続設定」として知られているプロセスに関連して周波数間測定を行なう必要がないので、新たなバンドを使用できるという効果がある。これは、ネットワーク容量の節約を許すと共に、全トランク利得を許す。
【発明の開示】
【発明が解決しようとする課題】
【０００５】
しかしながら、ＵＥ１０は、新たな周波数バンドで受信するための容量を有するものが広く利用できるようになる。全てのＵＥ１０がこの能力を有するまで、幾つかのＵＥをＵＴＲＡＮ１２のコアバンドから新たなバンドへシフトできるに過ぎない。設定が完了する前に個々のＵＥ１０の能力をＲＲＣ１４に通知するメカニズムは現在のところ存在しない。
【課題を解決するための手段】
【０００６】
本発明は、ＵＥを伴う設定方法及びシステムに係る。本発明は、少なくとも１つのＵＥと第１ワイヤレスネットワークのコントローラとの間のＲＲＣ接続要求（これに限定されない）のような設定要求において、その第１ワイヤレスネットワーク又は別のネットワークの新たなキャリア又は新たなバンドで動作するためのＵＥの能力を指示するフィールドのような情報を送信することにより、従来技術に勝る改善を提供する。更に、ＵＥのみの動作を伴うフィールドにおいて、或いは第１ワイヤレスネットワーク又は別のネットワークの新たなキャリア又は新たなバンドで動作するためのＵＥの前記能力との組み合わせにおいて他の情報が送信されてもよい。このような他の情報は、ＵＥに提供されるべきサービスのクオリティ、ＵＥに与えられるべき情報コンテンツの形式、及び／又はＵＥのオペレーションに関する情報であって、最小所要ビットレート、転送遅延、エラー率を３ＧＰＰトラフィッククラスより詳細に与えるか、或いは特定のビットレートを、ＵＥへ与えるべくワイヤレスローカルエリアネットワーク（ＷＬＡＮ）へ指令するための情報を含んでもよい。
【０００７】
このフィールドの情報は、多数の使い方を有する。第１ネットワークのキャリア及び／又はバンドをスイッチし及び他のネットワークへスイッチするためのＵＥの能力は、第１ワイヤレスネットワークのＲＮＣが、第１ネットワークの負荷状態又は第１ワイヤレスネットワークの他の動作基準に関して、指令型ＲＲＣ接続設定（これに限定されないが）のような通信を使用してＵＥを第１ネットワークの別のキャリア又はバンド或いは別のネットワークへハンドオフすべきかどうか決定できるようにする。更に、前記他の情報を与えることで、設定が完了したときにＵＥに提供されるサービスを、第１ネットワークの新たなキャリア又はバンド、或いはＵＥに利用できる別のネットワークにおいて効率的に与え且つ向上させることができる。
【０００８】
本発明によるユーザ装置を伴う設定方法は、ワイヤレスネットワークの現在動作バンドを有する少なくとも１つのユーザ装置から前記ワイヤレスネットワークのコントローラへ通信要求を送信するステップであって、該要求は、前記ワイヤレスネットワークの現在動作バンド以外の他のバンドで動作するための前記少なくとも１つのユーザ装置の能力を指示する情報を含むようなステップと、前記コントローラが、前記現在動作バンド以外の他のバンドで動作するための前記少なくとも１つのユーザ装置の能力と、前記ネットワークの負荷状態とに応答して、前記ワイヤレスネットワークの前記現在動作バンド以外の前記ワイヤレスネットワークの他のバンドで通信を確立すべきであることを前記少なくとも１つのユーザ装置へ送信するステップと、を備えている。前記情報は、前記少なくとも１つのユーザ装置が前記ワイヤレスネットワークの前記現在動作バンド以外の少なくとも１つの他のバンドで動作する場合だけを指示してもよい。前記情報は、前記ワイヤレスネットワークの前記現在動作バンド以外の他のバンドで動作するための前記少なくとも１つのユーザ装置の能力を指示し、そして前記少なくとも１つのユーザ装置の動作に関連した他の情報を含んでもよい。前記情報は、前記フィールドで識別された多数のバンドにおいて前記少なくとも１つのユーザ装置が動作することを指示してもよい。前記情報は、前記少なくとも１つのユーザ装置が単一の他のバンドのみにおいて動作する場合を指示する１つのビットを備えてもよい。前記別のバンドは、少なくとも２．５ＧＨｚの周波数を含んでもよい。前記情報は、少なくとも１つのユーザ装置に提供されるべきサービスのクオリティ、少なくとも１つのユーザ装置に与えられるべき情報のコンテンツの形式、通信と共に少なくとも１つのユーザ装置に与えられるべき転送遅延、又は少なくとも１つのユーザ装置へ通信と共に与えられるべきビットレートに関する情報を含んでもよい。
【０００９】
本発明によるシステムは、ワイヤレスネットワークと、該ワイヤレスネットワークの現在動作バンドを有する少なくとも１つのユーザ装置と、前記ワイヤレスネットワークのコントローラとを備え、前記少なくとも１つのユーザ装置は、前記ワイヤレスネットワークにおける前記少なくとも１つのユーザ装置からの通信要求を前記コントローラへ送信し、前記要求は、前記ワイヤレスネットワークの前記現在動作バンド以外の他のバンド内で動作するための前記少なくとも１つのユーザ装置の能力を指示する情報を含み、そして前記コントローラは、前記現在動作バンド以外の他のバンドで動作するための前記少なくとも１つのユーザ装置の能力と、前記ワイヤレスネットワークの負荷状態とに応答して、前記ワイヤレスネットワークの前記現在動作バンド以外の前記ワイヤレスネットワークの他のバンドで通信を確立すべきであることを前記少なくとも１つのユーザ装置へ送信する。前記情報は、前記ワイヤレスネットワークの前記現在動作バンド以外の他のバンドで動作するための前記少なくとも１つのユーザ装置の能力を指示し、そして前記少なくとも１つのユーザ装置の動作に関連した他の情報を含んでもよい。前記情報は、フィールドで識別された多数のバンドにおいて前記少なくとも１つのユーザ装置が動作することを指示してもよい。前記情報は、前記少なくとも１つのユーザ装置が単一の他のバンドのみにおいて動作する場合を指示する１つのビットを備えてもよい。前記別のバンドは、少なくとも２．５ＧＨｚの周波数を含んでもよい。前記情報は、少なくとも１つのユーザ装置に提供されるべきサービスのクオリティ、少なくとも１つのユーザ装置に与えられるべき情報のコンテンツの形式、通信と共に少なくとも１つのユーザ装置に与えられるべき転送遅延、又は少なくとも１つのユーザ装置へ通信と共に与えられるべきビットレートに関する情報を含んでもよい。
【００１０】
本発明によるユーザ装置を伴う設定方法は、ワイヤレスネットワークの現在キャリアを有する少なくとも１つのユーザ装置から前記ワイヤレスネットワークのコントローラへ通信要求を送信するステップであって、該要求は、前記ワイヤレスネットワークの前記現在キャリア以外の他のキャリアで動作するための前記少なくとも１つのユーザ装置の能力を指示する情報を含むようなステップと、前記コントローラが、前記現在キャリア以外の前記ワイヤレスネットワークの他のキャリアで動作するための前記少なくとも１つのユーザ装置の能力と、前記ワイヤレスネットワークの負荷状態とに応答して、前記ワイヤレスネットワークの前記現在キャリア以外の前記ワイヤレスネットワークの他のキャリアで通信を確立すべきであることを前記少なくとも１つのユーザ装置へ送信するステップと、を備えている。前記情報は、フィールドで識別された多数のキャリアで前記少なくとも１つのユーザ装置が動作することを指示してもよい。前記情報は、前記少なくとも１つのユーザ装置が単一の他のキャリアのみで動作する場合を指示する１つのビットを備えてもよい。前記別のキャリアは、２．５−２．６９ＧＨｚバンド、１９００−１９２０ＭＨｚバンド又は２０１０−２０２５ＭＨｚバンドの通信周波数を含んでもよい。前記情報は、少なくとも１つのユーザ装置に提供されるべきサービスのクオリティ、少なくとも１つのユーザ装置に与えられるべき情報のコンテンツの形式、通信と共に少なくとも１つのユーザ装置に与えられるべき転送遅延、又は少なくとも１つのユーザ装置へ通信と共に与えられるべきビットレートに関する情報を含んでもよい。
【００１１】
本発明によるシステムは、ワイヤレスネットワークと、このワイヤレスネットワークの現在キャリアを有する少なくとも１つのユーザ装置と、前記ワイヤレスネットワークのコントローラとを備え、前記少なくとも１つのユーザ装置は、この少なくとも１つのユーザ装置からワイヤレスネットワークの前記コントローラへ通信要求を送信し、この要求は、前記ワイヤレスネットワークの前記現在キャリア以外の他のキャリアで動作するための前記少なくとも１つのユーザ装置の能力を指示する情報を含み、そして前記コントローラは、前記現在キャリア以外の他のキャリアで動作するための前記少なくとも１つのユーザ装置の能力と、前記ワイヤレスネットワークの負荷状態とに応答して、前記ワイヤレスネットワークの前記現在キャリア以外の前記ワイヤレスネットワークの他のキャリアで通信を確立すべきであることを前記少なくとも１つのユーザ装置へ送信する。前記情報は、フィールドで識別された多数のキャリアで前記少なくとも１つのユーザ装置が動作することを指示してもよい。前記情報は、前記少なくとも１つのユーザ装置が単一の他のキャリアのみで動作する場合を指示する１つのビットを備えてもよい。前記別のバンドは、２．５−２．６９ＧＨｚバンド、１９００−１９２０ＭＨｚバンド又は２０１０−２０２５ＭＨｚバンドの周波数を含んでもよい。前記情報は、少なくとも１つのユーザ装置に提供されるべきサービスのクオリティ、少なくとも１つのユーザ装置に与えられるべき情報のコンテンツ形式、通信と共に少なくとも１つのユーザ装置に与えられるべき転送遅延、又は少なくとも１つのユーザ装置へ通信と共に与えられるべきビットレートに関する情報を含んでもよい。
【００１２】
本発明によるユーザ装置を伴う設定方法は、第１ワイヤレスネットワークで現在動作している少なくとも１つのユーザ装置から前記第１ワイヤレスネットワークのコントローラへ通信要求を送信するステップであって、該要求は、前記第１ワイヤレスネットワーク以外の他のワイヤレスネットワーク内で動作するための前記少なくとも１つのユーザ装置の能力を指示する情報を含むようなステップと、前記コントローラが、別のワイヤレスネットワークで動作するための前記少なくとも１つのユーザ装置の能力に応答して、前記別のワイヤレスネットワークに通信を確立すべきであることを前記少なくとも１つのユーザ装置へ送信するステップと、を備えている。前記情報は、フィールドで識別された多数のワイヤレスネットワークで前記少なくとも１つのユーザ装置が動作することを指示してもよい。前記情報は、前記少なくとも１つのユーザ装置が単一の他のワイヤレスネットワークのみで動作する場合を指示する１つのビットを備えてもよい。前記別のワイヤレスネットワークは、ＷＬＡＮを含んでもよい。前記情報は、少なくとも１つのユーザ装置に提供されるべきサービスのクオリティ、少なくとも１つのユーザ装置に与えられるべき情報のコンテンツ形式、通信と共に少なくとも１つのユーザ装置に与えられるべき転送遅延、又は少なくとも１つのユーザ装置へ通信と共に与えられるべきビットレートに関する情報を含んでもよい。
【００１３】
本発明によるシステムは、少なくとも１つのユーザ装置と、ネットワークコントローラを含む第１ネットワークと、少なくとも１つの付加的なワイヤレスネットワークとを備え、前記少なくとも１つのユーザ装置は、前記第１ワイヤレスネットワークで現在動作している少なくとも１つのユーザ装置から前記コントローラへ通信要求を送信し、該要求は、前記第１ワイヤレスネットワーク以外の他のワイヤレスネットワーク内で動作するための前記少なくとも１つのユーザ装置の能力を指示する情報を含み、そして前記コントローラは、前記第１ワイヤレスネットワーク以外の他のワイヤレスネットワークで動作するための前記少なくとも１つのユーザ装置の能力に応答して、前記別のワイヤレスネットワークに通信を確立すべきであることを前記少なくとも１つのユーザ装置へ送信する。前記情報は、その情報で識別された多数の他のワイヤレスネットワークで前記少なくとも１つのユーザ装置が動作することを指示してもよい。前記情報は、前記少なくとも１つのユーザ装置が単一の他のワイヤレスネットワークのみで動作する場合を指示する１つのビットを備えてもよい。前記別のネットワークは、ＷＬＡＮを含んでもよい。前記別のネットワークは、ワイヤレスローカルエリアネットワークを含んでもよい。前記情報は、少なくとも１つのユーザ装置に提供されるべきサービスのクオリティ、少なくとも１つのユーザ装置に与えられるべき情報のコンテンツ形式、通信と共に少なくとも１つのユーザ装置に与えられるべき転送遅延、又は少なくとも１つのユーザ装置へ通信と共に与えられるべきビットレートに関する情報を含んでもよい。
【００１４】
本発明によるユーザ装置を伴う設定方法は、少なくとも１つのユーザ装置から第１ワイヤレスネットワークのコントローラへ通信要求を送信するステップであって、該要求は、ワイヤレスネットワークの前記少なくとも１つのユーザ装置の動作に関する情報を含むようなステップと、前記コントローラが、前記少なくとも１つのユーザ装置の動作に関する情報と、前記第１ワイヤレスネットワークの状態とに応答して、前記少なくとも１つのユーザ装置の動作に関する情報に基づいてワイヤレスネットワークに通信を確立すべきであることを前記少なくとも１つのユーザ装置へ送信するステップと、を備えている。前記情報は、前記少なくとも１つのユーザ装置が、前記第１ワイヤレスネットワークの現在動作バンド以外の少なくとも１つの他のバンドで動作する場合を指示してもよい。前記情報は、前記少なくとも１つのユーザ装置が、その少なくとも１つのユーザ装置の現在キャリア以外の他のキャリアで動作する場合を指示してもよい。前記情報は、前記少なくとも１つのユーザ装置が、前記第１ワイヤレスネットワーク以外の他のワイヤレスネットワークで動作する場合を指示してもよい。前記情報は、少なくとも１つのユーザ装置に提供されるべきサービスのクオリティ、少なくとも１つのユーザ装置に与えられるべき情報のコンテンツ形式、通信と共に少なくとも１つのユーザ装置に与えられるべき転送遅延、又は少なくとも１つのユーザ装置へ通信と共に与えられるべきビットレートに関する情報を含んでもよい。前記情報は、前記少なくとも１つのユーザ装置が単一の他の動作バンドのみで動作する場合を指示する１つのビットを含んでもよい。前記情報は、前記少なくとも１つのユーザ装置が単一の他のキャリアのみで動作する場合を指示する１つのビットを含んでもよい。前記情報は、前記少なくとも１つのユーザ装置が単一の他のワイヤレスネットワークのみで動作する場合を指示する１つのビットを含んでもよい。前記別のバンドは、少なくとも２．５ＧＨｚの周波数を含んでもよい。前記別のキャリアは、２．５−２．６９ＧＨｚバンド、１９００−１９２０ＭＨｚバンド又は２０１０−２０２５ＭＨｚバンドの周波数を含んでもよい。前記別のネットワークは、ＷＬＡＮを含んでもよい。
【００１５】
本発明によるシステムは、少なくとも１つのユーザ装置と、コントローラを含む第１ワイヤレスネットワークとを備え、前記少なくとも１つのユーザ装置は、その少なくとも１つのユーザ装置から前記コントローラへ通信要求を送信し、該要求は、ワイヤレスネットワークにおける前記少なくとも１つのユーザ装置の動作に関する情報を含み、そして前記コントローラは、前記少なくとも１つのユーザ装置の動作に関する情報と、前記第１ワイヤレスネットワークの状態とに応答して、前記少なくとも１つのユーザ装置の動作に関する情報に基づいてワイヤレスネットワークに通信を確立すべきであることを前記少なくとも１つのユーザ装置へ送信する。前記情報は、少なくとも１つのユーザ装置に提供されるべきサービスのクオリティ、少なくとも１つのユーザ装置に与えられるべき情報のコンテンツ形式、通信と共に少なくとも１つのユーザ装置に与えられるべき転送遅延、又は少なくとも１つのユーザ装置へ通信と共に与えられるべきビットレートに関する情報を含んでもよい。前記情報は、前記少なくとも１つのユーザ装置が単一の他のキャリアのみで動作する場合を指示する１つのビットを含んでもよい。前記情報は、前記少なくとも１つのユーザ装置が単一の他のワイヤレスネットワークのみで動作する場合を指示する単一ビットを含んでもよい。前記別のバンドは、少なくとも２．５ＧＨｚの周波数を含んでもよい。前記別のバンドは、２．５−２．６９ＧＨｚバンド、１９００−１９２０ＭＨｚバンド又は２０１０−２０２５ＭＨｚバンドの周波数を含んでもよい。
【発明を実施するための最良の形態】
【００１６】
添付図面全体にわたり同じ部分が同じ呼称で識別される。
図２Ａ及び２Ｂは、本発明のシステム及び方法のブロック図である。図２Ａ及び２Ｂのシステム及び方法は、ＵＥ１０からＲＮＣ１４への通信を設定する要求の一部分として特別なＵＥ能力を指定する情報をフィールド等において送信することにより図１の従来技術とは相違する。特別なＵＥ能力は、図２Ａに示された第１ネットワークＵＴＲＡＮ１２のバンド又はキャリア或いは図２Ｂに示された別のネットワーク２０におけるＵＥ１０の動作能力に関する情報、或いはＵＥが受信すべきサービスクオリティＱｏＳ、ＵＥが受信すべき情報コンテンツ、ＵＥが受信すべき転送遅延又はＵＥが受信すべき通信のビットレートのようなＵＥの動作に関する他の情報を搬送する。図２Ａの実施形態の特別な能力は、ＵＴＲＡＮ１２における新たなキャリア能力及び／又はバンド能力と、前記他の情報とを含む。図２Ｂの実施形態の特別な能力は、他のネットワーク２０における新たなネットワーク能力と、前記他の情報とを含む。ＵＥ設定メッセージにより、例えば、「ＲＲＣ接続要求」において送信される特別なＵＥ能力は、通常、第１ネットワークＵＴＲＡＮ１２の他のバンド又はキャリアにおける動作、他のネットワーク２０における動作に関する上述した全ての情報と、上述した他の情報とを含み、従って、ＲＮＣ１４は、設定中に、実際に使用されるべき設定を決定する前に、ＵＥ１０の考えられる動作の完全な範囲を有する。図２Ａの別のキャリア（１つ又は複数）は、少なくとも２．５ＧＨｚ、例えば、２．６９ＧＨｚまでの周波数、或いは１９００−１９２０ＭＨｚバンド又は２０１０−２０２５ＭＨｚバンド内の周波数を含む。別のネットワーク（１つ又は複数）２０は、ＷＬＡＮを含み、そしてビットレートがＷＬＡＮに対する他の情報と共に指定され、高いデータレートの通信を与えることができる。好ましい形式の高いデータ設定要求は、従来の「ＲＲＣ接続要求」を、図２Ａ及び２Ｂに示す前記特別のＵＥ能力を含むように変更したものである。情報は、図２Ａに示された第１ネットワークＵＴＲＡＮ１２の単一の新たなバンド又は単一の新たなキャリアで或いは図２Ｂに示された別のネットワーク２０内で動作するためのＵＥ１０の動作能力を指示する単一ビットでよい。或いは又、情報は、図２Ａに示された第１ネットワークＵＴＲＡＮ１２或いは図２Ｂに示された新たなネットワーク２０における付加的な動作バンド又はキャリアを示す多数のビット、及び／又はＵＥに関する他の情報を含んでもよく、該他の情報は、ＲＲＣ接続要求のような設定要求に含まれる必要な最小ビットレート、転送遅延、ＵＥ要求サービスクオリティ又はコンテンツ形式、或いはそれらの組合せを含む。
【００１７】
ＲＮＣ１４は、「ＲＲＣ接続要求」及び特に前記情報から、ＵＥ１０が、図２Ａに示された第１ネットワークＵＴＲＡＮ１２の他のバンド又は別のキャリア又は図２Ｂに示された別のネットワーク２０で動作できるかどうか、及び／又は第１ネットワークＵＴＲＡＮ１２のバンド又はキャリア動作又は別のネットワーク２０の動作に関与しない他の情報に基づいて動作すべきかどうか決定する。
【００１８】
その答えが「イエス」であって、ＵＥ１０が、図２Ａに示された第１ネットワークＵＴＲＡＮ１２の他のバンド又はキャリア又は図２Ｂに示された別のネットワーク２０で動作できる場合には、ＲＮＣ１４は、ＵＥの指示された能力に応答して、第１ネットワークの別のバンド又はキャリア又は別のネットワークで動作すべきかどうか決定する。この判断は、第１ネットワークの負荷又は他の条件、及び／又はサービス遅延、サービスクオリティ、ビットレート、又はＵＥ１０へ与えられる要求されたコンテンツのような他の条件を考慮する。図２Ａに示されたＵＴＲＡＮ１２の別のキャリア又はバンド又は図２Ｂに示された別のネットワーク２０で動作するようにＵＥ１０を指定することが負荷又は他の条件で保証されると仮定すれば、ＲＮＣ１４は、図２Ａに示された第１ワイヤレスネットワークの現在動作バンド又はキャリア以外の第１ネットワークＵＴＲＡＮ１２の別のバンド又はキャリアでＵＥを動作すべきであることを指示する「ＲＲＣ接続設定」メッセージのようなメッセージであって、ＵＴＲＡＮの他のキャリア又はバンド、或いは図２Ｂに示された「他のネットワークへの再指令情報を伴うＲＲＣ接続拒絶」を指定する指令を含むメッセージをＵＥへ送信する。その後、ＵＥは、図２Ａに示された「ＲＲＣ接続設定完了」メッセージのような設定完了メッセージをＲＮＣ１４へ送信するか、或いは別のネットワーク２０への再指令の場合には、図２Ｂに示すように、「他のネットワーク接続要求」メッセージを他のネットワークへ送信する。この「他のネットワーク接続要求」メッセージは、他のネットワーク２０に、ＵＥ１０がそれを経て通信設定すべきであることを通知する。この「他のネットワーク接続要求」メッセージは、図２Ａの「ＲＲＣ接続要求」の「特別なＵＥ能力」を任意に含んでもよく、その含まれた情報は、他のネットワーク２０において図２Ａにおける使い方と同様に使用される。
【００１９】
逆に、ＵＥ１０を第１ネットワークＵＴＲＡＮ１２の別のバンド又はキャリア或いは別のネットワーク２０で動作すべきであることが負荷又は他の条件で保証されないことをＲＮＣ１４が決定した場合には、「ＲＲＣ接続設定」メッセージは、ＵＴＲＡＮ１２において現在バンド又は現在キャリアで動作が続けられることをＵＥ１０に指示する。その後、「ＲＲＣ接続設定完了」メッセージがＵＥ１０からＵＴＲＡＮ１２へ送信される。
【００２０】
ＲＮＣ１４は、設定要求のフィールドに応答して、指令型ＲＲＣ接続設定メッセージを使用し、ＵＥ１０を、図２Ａに示す第１ネットワークＵＴＲＡＮ１２の異なるキャリア又は異なるバンド、或いは図２Ｂに示す別のワイヤレスネットワーク２０に指定することができる。ＵＴＲＡＮ１２の負荷状態又は他の状態を、ＵＥ１０の指定を制御するための基礎として使用し、現在バンド又は現在キャリア以外の第１ネットワークＵＴＲＡＮ１２の別のバンド、例えば、ここに提案する２．５−２．６９ＧＨｚバンド、１９００−１９２０ＭＨｚバンド、又は２０１０−２０２５ＭＨｚバンド又はキャリア、或いはＷＬＡＮを含む別のネットワーク２０へＵＥ１０を指定するよう制御することができる。第１ネットワークＵＴＲＡＮ１２におけるＵＥ１０の他のバンド又はキャリア能力、或いは別のネットワーク２０におけるＵＥ１０のネットワーク能力を指示する情報を含む「ＲＲＣ接続要求」のような設定要求の結果として、ＲＮＣ１４は、第１ネットワークＵＴＲＡＮの別のバンド（１つ又は複数）又は別のキャリア（１つ又は複数）或いは別のネットワーク（１つ又は複数）で動作する能力を有するＵＥのみをインテリジェントに指定し、ネットワーク容量を節約すると共に、効率的な負荷分担を許すことができる。
【００２１】
設定要求、例えば、「ＲＲＣ接続要求」内の他の情報は、それ単独で使用してもよいし、或いは第１ネットワークＵＴＲＡＮ１２におけるＵＥ１０のバンド又はキャリア能力或いは上述した新たなネットワーク２０の情報と組み合わせて使用してもよい。例えば、上述したように、他の情報は、新たなバンド（１つ又は複数）がアップリンク又はダウンリンク容量のような理由でＵＥ１０に更に適しているか、又は法的制限の結果として特定のバンドで特定形式のコンテンツがサービスされる場合には、３ＧＰＰトラフィッククラスより詳細な情報、例えば、最小必要ビットレート、転送遅延及びエラー率、サービスクオリティ（ＱｏＳ）パラメータのような要求されたサービス、或いはそのサブセットを含んでもよい。
【００２２】
以上、好ましい実施形態について本発明を説明したが、本発明の精神及び範囲から逸脱せずに多数の変更がなされ得ることを理解されたい。このような変更は、特許請求の範囲に包含されるものとする。
【図面の簡単な説明】
【００２３】
【図１】ＵＥとＵＴＲＡＮネットワークとの間の従来の設定方法を示す図である。
【図２Ａ】本発明のシステム及び方法のブロック図である。
【図２Ｂ】本発明のシステム及び方法のブロック図である。
【図１】
2005536091.tif 000003
【図２Ａ】
2005536091.tif 000004
【図２Ｂ】
2005536091.tif 000005
【手続補正書】
【提出日】平成16年10月13日(2004.10.13)
【手続補正１】
【補正対象書類名】特許請求の範囲
【補正対象項目名】全文
【補正方法】変更
【補正の内容】
【特許請求の範囲】
【請求項１】
ユーザ装置を伴うコール設定方法において、
ワイヤレスネットワークの現在動作バンドを有する少なくとも１つのユーザ装置から前記ワイヤレスネットワークのコントローラへコール設定要求を送信するステップであって、該要求は、前記ワイヤレスネットワークの前記現在動作バンド以外の他のバンドで動作するための前記少なくとも１つのユーザ装置の能力を指示する情報を含むようなステップと、
前記コントローラが、前記現在動作バンド以外の他のバンドで動作するための前記少なくとも１つのユーザ装置の能力と、前記ネットワークの負荷状態とを指示する前記コール設定要求内の情報に応答して、前記ワイヤレスネットワークの前記現在動作バンド以外の前記ワイヤレスネットワークの他のバンドでコールを確立すべきであることを前記少なくとも１つのユーザ装置へ送信するステップと、
を備えた方法。
【請求項２】
前記情報は、前記少なくとも１つのユーザ装置が前記ワイヤレスネットワークの前記現在動作バンド以外の少なくとも１つの他のバンドで動作する場合だけを指示する請求項１に記載の方法。
【請求項３】
前記情報は、前記ワイヤレスネットワークの前記現在動作バンド以外の他のバンドで動作するための前記少なくとも１つのユーザ装置の能力を指示し、そして前記少なくとも１つのユーザ装置の動作に関連した他の情報を含む請求項１に記載の方法。
【請求項４】
前記情報は、前記情報で識別された多数のバンドにおいて前記少なくとも１つのユーザ装置が動作することを指示する請求項２に記載の方法。
【請求項５】
前記情報は、前記情報で識別された多数のバンドにおいて前記少なくとも１つのユーザ装置が動作することを指示する請求項３に記載の方法。
【請求項６】
前記情報は、前記少なくとも１つのユーザ装置が単一の他の情報のみにおいて動作する場合を指示する１つのビットを備えた請求項１に記載の方法。
【請求項７】
前記別のバンドは、少なくとも２．５ＧＨｚの周波数を含む請求項１に記載の方法。
【請求項８】
前記他の情報は、前記少なくとも１つのユーザ装置に提供されるべきサービスのクオリティに関する情報を含む請求項３に記載の方法。
【請求項９】
前記他の情報は、前記少なくとも１つのユーザ装置に与えられるべき情報のコンテンツの形式に関する情報を含む請求項３に記載の方法。
【請求項１０】
前記他の情報は、前記コールと共に前記少なくとも１つのユーザ装置に与えられるべき転送遅延に関する情報を含む請求項３に記載の方法。
【請求項１１】
前記他の情報は、前記少なくとも１つのユーザ装置へ前記コールと共に与えられるべきビットレートに関する情報を含む請求項３に記載の方法。
【請求項１２】
ワイヤレスネットワークと、
前記ワイヤレスネットワークの現在動作バンドを有する少なくとも１つのユーザ装置と、
前記ワイヤレスネットワークのコントローラと、
を備え、前記少なくとも１つのユーザ装置は、前記ワイヤレスネットワークにおける前記少なくとも１つのユーザ装置からのコール設定要求を前記コントローラへ送信し、該要求は、前記ワイヤレスネットワークの前記現在動作バンド以外の他のバンド内で動作するための前記少なくとも１つのユーザ装置の能力を指示する情報を含み、そして前記コントローラは、前記現在動作バンド以外の他のバンドで動作するための前記少なくとも１つのユーザ装置の能力と、前記ワイヤレスネットワークの負荷状態とを指示する前記コール設定要求内の情報に応答して、前記ワイヤレスネットワークの前記現在動作バンド以外の前記ワイヤレスネットワークの他のバンドでコールを確立すべきであることを前記少なくとも１つのユーザ装置へ送信するように構成されたシステム。
【請求項１３】
前記情報は、前記少なくとも１つのユーザ装置が前記ワイヤレスネットワークの前記現在動作バンド以外の少なくとも１つの他のバンドで動作する場合だけを指示する請求項１２に記載のシステム。
【請求項１４】
前記情報は、前記ワイヤレスネットワークの前記現在動作バンド以外の他のバンドで動作するための前記少なくとも１つのユーザ装置の能力を指示し、そして前記少なくとも１つのユーザ装置の動作に関連した他の情報を含む請求項１２に記載のシステム。
【請求項１５】
前記情報は、前記情報で識別された多数のバンドにおいて前記少なくとも１つのユーザ装置が動作することを指示する請求項１３に記載のシステム。
【請求項１６】
前記情報は、前記情報で識別された多数のバンドにおいて前記少なくとも１つのユーザ装置が動作することを指示する請求項１４に記載のシステム。
【請求項１７】
前記情報は、前記少なくとも１つのユーザ装置が単一の他のバンドのみにおいて動作する場合を指示する１つのビットを備えた請求項１２に記載のシステム。
【請求項１８】
前記別のバンドは、少なくとも２．５ＧＨｚの周波数を含む請求項１２に記載のシステム。
【請求項１９】
前記他の情報は、前記少なくとも１つのユーザ装置に提供されるべきサービスのクオリティに関する情報を含む請求項１４に記載のシステム。
【請求項２０】
前記他の情報は、前記少なくとも１つのユーザ装置に与えられるべき情報のコンテンツの形式に関する情報を含む請求項１４に記載のシステム。
【請求項２１】
前記他の情報は、前記コールと共に前記少なくとも１つのユーザ装置に与えられるべき転送遅延に関する情報を含む請求項１４に記載のシステム。
【請求項２２】
前記他の情報は、前記少なくとも１つのユーザ装置へ前記コールと共に与えられるべきビットレートに関する情報を含む請求項１４に記載のシステム。
【請求項２３】
ユーザ装置を伴うコール設定方法において、
ワイヤレスネットワークの現在キャリアを有する少なくとも１つのユーザ装置から前記ワイヤレスネットワークのコントローラへコール設定要求を送信するステップであって、該要求は、前記ワイヤレスネットワークの前記現在キャリア以外の他のキャリアで動作するための前記少なくとも１つのユーザ装置の能力を指示する情報を含むようなステップと、
前記コントローラが、前記現在キャリア以外の前記ワイヤレスネットワークの他のキャリアで動作するための前記少なくとも１つのユーザ装置の能力と、前記ワイヤレスネットワークの負荷状態とを指示する前記コール設定要求内の情報に応答して、前記ワイヤレスネットワークの前記現在キャリア以外の前記ワイヤレスネットワークの他のキャリアでコールを確立すべきであることを前記少なくとも１つのユーザ装置へ送信するステップと、
を備えた方法。
【請求項２４】
前記情報は、前記少なくとも１つのユーザ装置が前記ワイヤレスネットワークの前記現在キャリア以外の他のキャリアで動作する場合だけを指示する請求項２３に記載の方法。
【請求項２５】
前記情報は、前記ワイヤレスネットワークの前記現在キャリア以外の他のキャリアで動作するための前記少なくとも１つのユーザ装置の能力を指示し、そして前記少なくとも１つのユーザ装置の動作に関連した他の情報を含む請求項２３に記載の方法。
【請求項２６】
前記情報は、前記情報で識別された多数のキャリアで前記少なくとも１つのユーザ装置が動作することを指示する請求項２４に記載の方法。
【請求項２７】
前記情報は、前記情報で識別された多数のキャリアで前記少なくとも１つのユーザ装置が動作することを指示する請求項２５に記載の方法。
【請求項２８】
前記情報は、前記少なくとも１つのユーザ装置が前記ネットワークにおける単一の他のキャリアのみで動作する場合を指示する１つのビットを備えた請求項２３に記載の方法。
【請求項２９】
前記別のバンドは、２．５−２．６９ＧＨｚバンド、１９００−１９２０ＭＨｚバンド又は２０１０−２０２５ＭＨｚバンドの周波数を含む請求項２３に記載の方法。
【請求項３０】
前記他の情報は、前記少なくとも１つのユーザ装置に提供されるべきサービスのクオリティに関する情報を含む請求項２５に記載の方法。
【請求項３１】
前記他の情報は、前記少なくとも１つのユーザ装置に与えられるべき情報のコンテンツの形式に関する情報を含む請求項２５に記載の方法。
【請求項３２】
前記他の情報は、前記コールと共に前記少なくとも１つのユーザ装置に与えられるべき転送遅延に関する情報を含む請求項２５に記載の方法。
【請求項３３】
前記他の情報は、前記少なくとも１つのユーザ装置へ前記コールと共に与えられるべきビットレートに関する情報を含む請求項２５に記載の方法。
【請求項３４】
ワイヤレスネットワークと、
前記ワイヤレスネットワークの現在キャリアを有する少なくとも１つのユーザ装置と、
前記ワイヤレスネットワークのコントローラと、
を備え、前記少なくとも１つのユーザ装置は、前記少なくとも１つのユーザ装置から前記ワイヤレスネットワークの前記コントローラへコール設定要求を送信し、該要求は、前記ワイヤレスネットワークの前記現在キャリア以外の他のキャリアで動作するための前記少なくとも１つのユーザ装置の能力を指示する情報を含み、そして前記コントローラは、前記現在キャリア以外の他のキャリアで動作するための前記少なくとも１つのユーザ装置の能力と、前記ワイヤレスネットワークの負荷状態とを指示する前記コール設定要求内の情報に応答して、前記ワイヤレスネットワークの前記現在キャリア以外の前記ワイヤレスネットワークの他のキャリアでコールを確立すべきであることを前記少なくとも１つのユーザ装置へ送信するように構成されたシステム。
【請求項３５】
前記情報は、前記少なくとも１つのユーザ装置が前記ワイヤレスネットワークの前記現在キャリア以外の他のキャリアで動作する場合だけを指示する請求項３４に記載のシステム。
【請求項３６】
前記情報は、前記ワイヤレスネットワークの前記現在キャリア以外の他のキャリアで動作するための前記少なくとも１つのユーザ装置の能力を指示し、そして前記少なくとも１つのユーザ装置の動作に関連した他の情報を含む請求項３４に記載のシステム。
【請求項３７】
前記情報は、前記情報で識別された多数のキャリアで前記少なくとも１つのユーザ装置が動作することを指示する請求項３５に記載のシステム。
【請求項３８】
前記情報は、前記情報で識別された多数のキャリアで前記少なくとも１つのユーザ装置が動作することを指示する請求項３６に記載のシステム。
【請求項３９】
前記情報は、前記少なくとも１つのユーザ装置が前記ネットワークの単一の他のキャリアのみで動作する場合を指示する１つのビットを備えた請求項３４に記載のシステム。
【請求項４０】
前記別のバンドは、２．５−２．６９ＧＨｚバンド、１９００−１９２０ＭＨｚバンド又は２０１０−２０２５ＭＨｚバンドの周波数を含む請求項３４に記載のシステム。
【請求項４１】
前記他の情報は、前記少なくとも１つのユーザ装置に提供されるべきサービスのクオリティに関する情報を含む請求項３６に記載のシステム。
【請求項４２】
前記他の情報は、前記少なくとも１つのユーザ装置に与えられるべき情報のコンテンツの形式に関する情報を含む請求項３６に記載のシステム。
【請求項４３】
前記他の情報は、前記コールと共に前記少なくとも１つのユーザ装置に与えられるべき転送遅延に関する情報を含む請求項３６に記載のシステム。
【請求項４４】
前記他の情報は、前記少なくとも１つのユーザ装置へ前記コールと共に与えられるべきビットレートに関する情報を含む請求項３６に記載のシステム。
【請求項４５】
ユーザ装置を伴うコール設定方法において、
第１ワイヤレスネットワークで現在動作している少なくとも１つのユーザ装置から前記第１ワイヤレスネットワークのコントローラへコール設定要求を送信するステップであって、該要求は、前記第１ワイヤレスネットワーク以外の他のワイヤレスネットワーク内で動作するための前記少なくとも１つのユーザ装置の能力を指示する情報を含むようなステップと、
前記コントローラが、別のワイヤレスネットワークで動作するための前記少なくとも１つのユーザ装置の能力を指示する前記コール設定要求内の情報に応答して、前記別のワイヤレスネットワークにコールを確立すべきであることを前記少なくとも１つのユーザ装置へ送信するステップと、
を備えた方法。
【請求項４６】
前記情報は、前記少なくとも１つのユーザ装置が前記第１ワイヤレスネットワーク以外の少なくとも１つの他のワイヤレスネットワーク内で動作する場合だけを指示する請求項４５に記載の方法。
【請求項４７】
前記情報は、前記第１ワイヤレスネットワーク以外の他のワイヤレスネットワークで動作するための前記少なくとも１つのユーザ装置の能力を指示し、そして前記少なくとも１つのユーザ装置の動作に関連した他の情報を含む請求項４５に記載の方法。
【請求項４８】
前記情報は、前記情報で識別された多数の他のワイヤレスネットワークで前記少なくとも１つのユーザ装置が動作することを指示する請求項４６に記載の方法。
【請求項４９】
前記情報は、前記情報で識別された多数の他のワイヤレスネットワークで前記少なくとも１つのユーザ装置が動作することを指示する請求項４７に記載の方法。
【請求項５０】
前記情報は、前記少なくとも１つのユーザ装置が単一の他のワイヤレスネットワークのみで動作する場合を指示する１つのビットを備えた請求項４６に記載の方法。
【請求項５１】
前記別のネットワークは、ＷＬＡＮを含む請求項４６に記載の方法。
【請求項５２】
前記他の情報は、前記少なくとも１つのユーザ装置に提供されるべきサービスのクオリティに関する情報を含む請求項４７に記載の方法。
【請求項５３】
前記他の情報は、前記少なくとも１つのユーザ装置に与えられるべき情報のコンテンツの形式に関する情報を含む請求項４７に記載の方法。
【請求項５４】
前記他の情報は、前記コールと共に前記少なくとも１つのユーザ装置に与えられるべき転送遅延に関する情報を含む請求項４７に記載の方法。
【請求項５５】
前記他の情報は、前記少なくとも１つのユーザ装置へ前記コールと共に与えられるべきビットレートに関する情報を含む請求項４７に記載の方法。
【請求項５６】
少なくとも１つのユーザ装置と、
ネットワークコントローラを含む第１ネットワークと、
少なくとも１つの付加的なワイヤレスネットワークと、
を備え、前記少なくとも１つのユーザ装置は、前記第１ワイヤレスネットワークで現在動作している少なくとも１つのユーザ装置から前記コントローラへコール設定要求を送信し、該要求は、前記第１ワイヤレスネットワーク以外の他のワイヤレスネットワーク内で動作するための前記少なくとも１つのユーザ装置の能力を指示する情報を含み、そして前記コントローラは、他のワイヤレスネットワークで動作するための前記少なくとも１つのユーザ装置の能力を指示する前記コール設定要求内の情報に応答して、前記別のワイヤレスネットワークにコールを確立すべきであることを前記少なくとも１つのユーザ装置へ送信するように構成されたシステム。
【請求項５７】
前記情報は、前記少なくとも１つのユーザ装置が前記第１ワイヤレスネットワーク以外の少なくとも１つの他のワイヤレスネットワーク内で動作する場合だけを指示する請求項５６に記載のシステム。
【請求項５８】
前記情報は、前記第１ワイヤレスネットワーク以外の他のワイヤレスネットワークで動作するための前記少なくとも１つのユーザ装置の能力を指示し、そして前記少なくとも１つのユーザ装置の動作に関連した他の情報を含む請求項５６に記載のシステム。
【請求項５９】
前記情報は、前記情報で識別された多数の他のワイヤレスネットワークで前記少なくとも１つのユーザ装置が動作することを指示する請求項５７に記載のシステム。
【請求項６０】
前記情報は、前記情報で識別された多数の他のワイヤレスネットワークで前記少なくとも１つのユーザ装置が動作することを指示する請求項５８に記載のシステム。
【請求項６１】
前記情報は、前記少なくとも１つのユーザ装置が単一の他のワイヤレスネットワークのみで動作する場合を指示する１つのビットを備えた請求項５７に記載のシステム。
【請求項６２】
前記別のネットワークは、ＷＬＡＮを含む請求項５６に記載のシステム。
【請求項６３】
前記他の情報は、前記少なくとも１つのユーザ装置に提供されるべきサービスのクオリティに関する情報を含む請求項５８に記載のシステム。
【請求項６４】
前記他の情報は、前記少なくとも１つのユーザ装置に与えられるべき情報のコンテンツの形式に関する情報を含む請求項５８に記載のシステム。
【請求項６５】
前記他の情報は、前記コールと共に前記少なくとも１つのユーザ装置に与えられるべき転送遅延に関する情報を含む請求項５８に記載のシステム。
【請求項６６】
前記他の情報は、前記少なくとも１つのユーザ装置へ前記コールと共に与えられるべきビットレートに関する情報を含む請求項５８に記載のシステム。
【請求項６７】
ユーザ装置を伴うコール設定方法において、
少なくとも１つのユーザ装置から第１ワイヤレスネットワークのコントローラへコール設定要求を送信するステップであって、該要求は、ワイヤレスネットワークの前記少なくとも１つのユーザ装置の動作に関する情報を含むようなステップと、
前記コントローラが、前記少なくとも１つのユーザ装置の動作と、前記第１ワイヤレスネットワークの状態とに関する前記コール設定要求内の情報に応答して、前記少なくとも１つのユーザ装置の動作に関するフィールドに基づいてワイヤレスネットワークにコールを確立すべきであることを前記少なくとも１つのユーザ装置へ送信するステップと、
を備えた方法。
【請求項６８】
前記情報は、前記少なくとも１つのユーザ装置が、前記第１ワイヤレスネットワークの現在動作バンド以外の少なくとも１つの他のバンドで動作する場合を指示する請求項６７に記載の方法。
【請求項６９】
前記情報は、前記少なくとも１つのユーザ装置が、その少なくとも１つのユーザ装置の現在キャリア以外の他のキャリアで動作する場合を指示する請求項６７に記載の方法。
【請求項７０】
前記情報は、前記少なくとも１つのユーザ装置が、前記第１ワイヤレスネットワーク以外の他のワイヤレスネットワークで動作する場合を指示する請求項６７に記載の方法。
【請求項７１】
前記情報は、前記少なくとも１つのユーザ装置に提供されるべきサービスのクオリティに関する情報を含む請求項６７に記載の方法。
【請求項７２】
前記情報は、前記少なくとも１つのユーザ装置に与えられるべき情報のコンテンツの形式に関する情報を含む請求項６７に記載の方法。
【請求項７３】
前記情報は、前記コールと共に前記少なくとも１つのユーザ装置に与えられるべき転送遅延に関する情報を含む請求項６５に記載の方法。
【請求項７４】
前記情報は、前記少なくとも１つのユーザ装置へ前記コールと共に与えられるべきビットレートに関する情報を含む請求項６７に記載の方法。
【請求項７５】
前記情報は、前記少なくとも１つのユーザ装置に提供されるべきサービスのクオリティに関する情報を含む請求項６８に記載の方法。
【請求項７６】
前記情報は、前記少なくとも１つのユーザ装置に与えられるべき情報のコンテンツの形式に関する情報を含む請求項６８に記載の方法。
【請求項７７】
前記情報は、前記コールと共に前記少なくとも１つのユーザ装置に与えられるべき転送遅延に関する情報を含む請求項６６に記載の方法。
【請求項７８】
前記情報は、前記少なくとも１つのユーザ装置へ前記コールと共に与えられるべきビットレートに関する情報を含む請求項６８に記載の方法。
【請求項７９】
前記情報は、前記少なくとも１つのユーザ装置に提供されるべきサービスのクオリティに関する情報を含む請求項６９に記載の方法。
【請求項８０】
前記情報は、前記少なくとも１つのユーザ装置に与えられるべき情報のコンテンツの形式に関する情報を含む請求項６９に記載の方法。
【請求項８１】
前記情報は、前記コールと共に前記少なくとも１つのユーザ装置に与えられるべき転送遅延に関する情報を含む請求項６９に記載の方法。
【請求項８２】
前記情報は、前記少なくとも１つのユーザ装置へ前記コールと共に与えられるべきビットレートの識別に関する情報を含む請求項６９に記載の方法。
【請求項８３】
前記情報は、前記少なくとも１つのユーザ装置に提供されるべきサービスのクオリティに関する情報を含む請求項７０に記載の方法。
【請求項８４】
前記情報は、前記少なくとも１つのユーザ装置に与えられるべき情報のコンテンツの形式に関する情報を含む請求項７０に記載の方法。
【請求項８５】
前記情報は、前記コールと共に前記少なくとも１つのユーザ装置に与えられるべき転送遅延に関する情報を含む請求項６８に記載の方法。
【請求項８６】
前記情報は、前記少なくとも１つのユーザ装置へ前記コールと共に与えられるべきビットレートに関する情報を含む請求項７０に記載の方法。
【請求項８７】
前記情報は、前記少なくとも１つのユーザ装置が単一の他の動作バンドのみで動作する場合を指示する１つのビットを含む請求項６７に記載の方法。
【請求項８８】
前記情報は、前記少なくとも１つのユーザ装置が単一の他のキャリアのみで動作する場合を指示する１つのビットを含む請求項６７に記載の方法。
【請求項８９】
前記情報は、前記少なくとも１つのユーザ装置が単一の他のワイヤレスネットワークのみで動作する場合を指示する１つのビットを含む請求項６７に記載の方法。
【請求項９０】
前記別のバンドは、少なくとも２．５ＧＨｚの周波数を含む請求項６８に記載の方法。
【請求項９１】
前記別のキャリアは、２．５−２．６９ＧＨｚバンド、１９００−１９２０ＭＨｚバンド又は２０１０−２０２５ＭＨｚバンドの周波数を含む請求項６９に記載の方法。
【請求項９２】
前記別のネットワークは、ＷＬＡＮを含む請求項７０に記載の方法。
【請求項９３】
少なくとも１つのユーザ装置と、
コントローラを含む第１ワイヤレスネットワークと、
を備え、前記少なくとも１つのユーザ装置は、その少なくとも１つのユーザ装置から前記コントローラへコール設定要求を送信し、該要求は、ワイヤレスネットワークにおける前記少なくとも１つのユーザ装置の動作に関する情報を含み、そして前記コントローラは、前記少なくとも１つのユーザ装置の動作と、前記第１ワイヤレスネットワークの状態とに関する前記コール設定要求内の情報に応答して、前記少なくとも１つのユーザ装置の動作に関するフィールドに基づいてワイヤレスネットワークに通信を確立すべきであることを前記少なくとも１つのユーザ装置へ送信するように構成されたシステム。
【請求項９４】
前記情報は、前記少なくとも１つのユーザ装置が、前記第１ワイヤレスネットワークの現在動作バンド以外の少なくとも１つの他のバンドで動作する場合を指示する請求項９３に記載のシステム。
【請求項９５】
前記情報は、前記少なくとも１つのユーザ装置が、その少なくとも１つのユーザ装置の現在キャリア以外の他のキャリアで動作する場合を指示する請求項９３に記載のシステム。
【請求項９６】
前記情報は、前記少なくとも１つのユーザ装置が、前記第１ワイヤレスネットワーク以外の他のワイヤレスネットワークで動作する場合を指示する請求項９３に記載のシステム。
【請求項９７】
前記情報は、前記少なくとも１つのユーザ装置に提供されるべきサービスのクオリティに関する情報を含む請求項９３に記載のシステム。
【請求項９８】
前記情報は、前記少なくとも１つのユーザ装置に与えられるべき情報のコンテンツの形式に関する情報を含む請求項９３に記載のシステム。
【請求項９９】
前記情報は、前記コールと共に前記少なくとも１つのユーザ装置に与えられるべき転送遅延に関する情報を含む請求項９３に記載のシステム。
【請求項１００】
前記情報は、前記少なくとも１つのユーザ装置へ前記コールと共に与えられるべきビットレートに関する請求項９３に記載のシステム。
【請求項１０１】
前記別のキャリアは、２．５−２．６９ＧＨｚバンド、１９００−１９２０ＭＨｚバンド又は２０１０−２０２５ＭＨｚバンドの周波数を含む請求項９５に記載のシステム。
【請求項１０２】
前記別のネットワークは、ＷＬＡＮを含む請求項９６に記載のシステム。
【国際調査報告】
2005536091.tif 000006
2005536091.tif 000007
2005536091.tif 000008